(57)【要約】【課題】  回転操作部の回転中心からずれた位置を押しながら回転操作部を回転させても、円滑に且つ良好に回転操作部を回転させてスイッチ動作させることができるスイッチ装置を提供する。【解決手段】  楽器本体１の上部ケース２と、この上部ケース２に弾力的に変位可能に保持された可動支持部１０と、この可動支持部１０に回転自在に配置された回転操作部１１と、可動支持部１０に設けられて回転操作部１１の回転操作に伴う回転位置を検出する検出部１２とを備えている。従って、回転操作部１１の回転中心からずれた位置を押しながら回転操作部１１を回転操作する際に、その回転操作時における押圧力によって、可動支持部１０を回転操作部１１および検出部１２と共に上部ケース２に対して弾力的に傾けることができるので、可動支持部１０、回転操作部１１、および検出部１２の全てを常に一定の状態に保つことができる。【選択図】        図３
2012243613.tif 000002
【特許請求の範囲】
【請求項１】
筐体と、
この筐体の外部に露出した状態で前記筐体に弾力的に変位可能に保持された可動支持部と、
前記筐体の外部に露出した状態で前記可動支持部に回転自在に配置された回転操作部と、
前記筐体の内部に位置した状態で前記可動支持部に設けられ、且つ前記回転操作部の回転操作に伴う回転位置を検出する検出部と、
を備えていることを特徴とするスイッチ装置。
【請求項２】
請求項１に記載のスイッチ装置において、前記回転操作部の回転操作時における押圧力に応じて前記可動支持部を弾力的に変位させる弾性保持機構を備えていることを特徴とするスイッチ装置。
【請求項３】
請求項２に記載のスイッチ装置において、前記弾性保持機構は、前記可動支持部を前記筐体に弾力的に押し付ける付勢部材と、前記筐体に対して前記可動支持部を取り付けると共にこの可動支持部に対する前記付勢部材の付勢力を調整する連結調整部材と、を備えていることを特徴とするスイッチ装置。
【請求項４】
請求項１〜請求項３のいずれかに記載のスイッチ装置において、前記可動支持部と前記回転操作部との一方には、その他方に接触した状態で摺動する摺動突起部が設けられていることを特徴とするスイッチ装置。
【発明の詳細な説明】
【技術分野】
【０００１】
この発明は、回転操作に伴う回転位置を検出する回転式のスイッチ装置に関する。
【背景技術】
【０００２】
例えば、回転式のスイッチ装置としては、特許文献１に記載されているように、指針表示部に操作ノブが設けられた回転操作部と、この回転操作部を回転可能に保持する操作パネルである筐体と、この筐体に設けられて回転操作部の回転位置を検出するスイッチ部とを備えた構成のものが知られている。
【先行技術文献】
【特許文献】
【０００３】
【特許文献１】特開２００５−３４７１３５号公報
【０００４】
この種のスイッチ装置は、操作パネルである筐体に回転操作部を回転可能に保持するため、回転操作部の指針表示部に設けられた操作円筒部と、筐体に設けられて回転操作部の操作円筒部が回転可能な状態で挿入する環状の保持溝部とを備えている。
【０００５】
この場合、回転操作部の操作円筒部は、その内周面が筐体の保持溝部内における小径側の内周面に摺動可能に接触し、操作円筒部の外周面が筐体の保持溝部内における大径側の内周面に固定表示部の筒状部を介して摺動可能に接触し、この状態で回転可能に保持されている。また、回転操作部の指針表示部には、スイッチ部のスイッチ軸が装着する小径の取付ボスが設けられている。
【０００６】
これにより、このスイッチ装置は、回転操作部を回転させると、回転操作部における指針表示部の取付ボスに装着されたスイッチ部のスイッチ軸が回転操作部の回転に伴って回転し、このスイッチ軸の回転位置を回転操作部の回転位置としてスイッチ部で検出するように構成されている。
【発明の概要】
【発明が解決しようとする課題】
【０００７】
しかしながら、このような回転式のスイッチ装置では、スイッチ部が筐体に固定されていると共に、回転操作部の操作円筒部が筐体の保持溝部内に固定表示部の筒状部を介して挿入された状態で回転可能に保持されているため、回転操作部の操作ノブがスイッチ部のスイッチ軸を中心に回転しなければ、回転操作部を円滑に回転させることができないという問題がある。
【０００８】
すなわち、このような回転式のスイッチ装置では、回転操作部の操作ノブの回転中心からずれた箇所を指で押しながら操作ノブを回転させると、回転操作部がスイッチ部のスイッチ軸に対して傾くように押し下げられると共に、回転操作部の操作円筒部が筐体の保持溝部内において傾くように押し下げられながら回転するため、回転操作部の操作円筒部が筐体の保持溝部内における小径側の内周面と大径側の内周面とに傾くように接触して摺動することになり、回転操作部が円滑に回転しないという問題がある。
【０００９】
この発明が解決しようとする課題は、回転操作部の回転中心からずれた位置を押しながら回転操作部を回転させても、円滑に且つ良好に回転操作部を回転させてスイッチ動作させることができるスイッチ装置を提供することである。
【課題を解決するための手段】
【００１０】
この発明は、筐体と、この筐体の外部に露出した状態で前記筐体に弾力的に変位可能に保持された可動支持部と、前記筐体の外部に露出した状態で前記可動支持部に回転自在に配置された回転操作部と、前記筐体の内部に位置した状態で前記可動支持部に設けられ、前記回転操作部の回転操作に伴う回転位置を検出する検出部と、を備えていることを特徴とするスイッチ装置である。
【発明の効果】
【００１１】
この発明によれば、回転操作部の回転中心からずれた位置を押しながら回転操作部を回転させると、その回転操作時における押圧力によって、筐体に対して可動支持部を回転操作部および検出部と共に弾力的に傾けることができるので、可動支持部、回転操作部、および検出部の全てを常に一定の状態に保つことができる。このため、回転操作部の回転中心からずれた位置を押しながら回転操作部を回転させても、円滑に且つ良好に回転操作部を回転させてスイッチ動作させることができる。
【図面の簡単な説明】
【００１２】
【図１】この発明を電子鍵盤楽器に適用した一実施形態を示した平面図である。
【図２】図１に示された電子鍵盤楽器のＡ−Ａ矢視における拡大断面図である。
【図３】図２に示された電子鍵盤楽器のスイッチ装置を示した要部の拡大断面図である。
【図４】図３に示されたスイッチ装置を示した要部の拡大平面図である。
【図５】図３に示されたスイッチ装置を回転操作した状態を示した要部の拡大断面図である。
【図６】図３に示された実施形態における摺動突起部の変形例を示した要部の拡大断面図である。
【発明を実施するための形態】
【００１３】
以下、図１〜図５を参照して、この発明を電子鍵盤楽器に適用した一実施形態について説明する。
この電子鍵盤楽器は、図１および図２に示すように、楽器本体１を備えている。この楽器本体１は、上部ケース２と下部ケースである鍵盤シャーシ３とで構成されている。
【００１４】
鍵盤シャーシ３は、図２に示すように、下部ケースを兼ねるものである。この鍵盤シャーシ３の前部側（図２では左側）に位置する上面には、図１および図２に示すように、複数の鍵４が並列に配列されている。この複数の鍵４は、白鍵と黒鍵とであり、その各後端部（図２では右端部）が鍵盤シャーシ３上にそれぞれ上下方向に回転可能に取り付けられている。
【００１５】
上部ケース２は、図１および図２に示すように、複数の鍵４の各後端部（図２では右端部）の上方から鍵盤シャーシ３の後端部に亘る箇所、および複数の鍵４の配列方向（図１では左右方向）における両側部に対応する箇所に位置する鍵盤シャーシ３上に配置されている。これにより、上部ケース２は、複数の鍵４がそれぞれ上方に露出するように構成されている。
【００１６】
この上部ケース２には、図１に示すように、スピーカ部５、表示部６、スイッチ部７が設けられている。スピーカ部５は、複数のスピーカ５ａ〜５ｃを備え、これらが上部ケース２における鍵４の配列方向の両側にそれぞれ設けられている。表示部６は、液晶表示パネルやＥＬ（エレクトロ・ルミネッセンス）表示パネルなどの平面型の表示パネルからなり、上部ケース２のほぼ中央部に化粧パネル６ａを介して設けられ、鍵盤楽器に必要な各種の情報を電気光学的に表示するように構成されている。
【００１７】
スイッチ部７は、図１に示すように、電源スイッチ、音量スイッチ、音色スイッチなどの鍵盤楽器に必要な各種のスイッチを備えているほか、回転式のスイッチ装置８をも備えている。この場合、スイッチ部７は、図１に示すように、各種のスイッチが上部ケース２に分散して設けられている。回転式のスイッチ装置８は、上部ケース２における表示部６の近傍に位置する箇所に設けられている。
【００１８】
この回転式のスイッチ装置８は、ジョブダイヤルスイッチなどの回転式のスイッチであり、図２および図３に示すように、楽器本体１の上部ケース２に弾力的に変位可能に保持された可動支持部１０と、この可動支持部１０に回転自在に配置された回転操作部１１と、可動支持部１０に設けられて回転操作部１１の回転操作に伴う回転位置を検出する検出部１２と、を備えている。
【００１９】
可動支持部１０は、図３に示すように、回転操作部１１が回転可能に配置される操作収納部１３と、検出部１２を搭載するための搭載ボス部１４と、上部ケース２に対して変位可能に取り付けられる取付部１５とを備えている。操作収納部１３は、図３および図４に示すように、円筒状に形成され、その外周部１３ａの上部が上部ケース２に設けられた円形状の開口部２ａ内に配置されるように構成されている。
【００２０】
また、この操作収納部１３の下部には、図３に示すように、底部１３ｂが設けられており、この底部１３ｂの中央部には、貫通孔１３ｃが設けられている。搭載ボス部１４は、操作収納部１３における底部１３ｂの下面にその下側に向けて突出して設けられており、この搭載ボス部１４の内部には、その下側に解放されたねじ孔１４ａが設けられている。
【００２１】
また、可動支持部１０の取付部１５は、図３に示すように、操作収納部１３の外周部１３ａにおける下部からその下側に垂下された下り部１５ａと、この下り部１５ａの下端部が円周方向における外周側に向けて突出した取付片１５ｂとを備えている。この取付部１５は、その取付片１５ｂが上部ケース２の下面に設けられた取付ボス１６の下面に配置されるように構成されている。この取付片１５ｂには、上部ケース２の取付ボス１６に設けられたねじ孔１６ａに対応するねじ挿入孔１５ｃが設けている。
【００２２】
この場合、取付部１５は、図３に示すように、取付片１５ｂが上部ケース２の取付ボス１６に対して弾性保持機構１７によって弾力的に変位可能に取り付けられるように構成されている。すなわち、この弾性保持機構１７は、可動支持部１０を上部ケース２の取付ボス１６に弾力的に押し付けるばね部材１８と、上部ケース２の取付ボス１６に対して可動支持部１０の取付片１５ｂを取り付けると共にこの取付片１５ｂに対するばね部材１８のばね力を調整する連結調整ねじ１９とを備えている。
【００２３】
ばね部材１８は、図３に示すように、コイルばねなどの弾性付勢部材であり、可動支持部１０の取付片１５における下面に配置され、この状態で取付片１５を上部ケース２の取付ボス１６に弾力的に押し付けるように構成されている。連結調整ねじ１９は、その頭部側（図３では下側）にワッシャー１９ａが配置され、この状態でばね部材１８の下側からばね部材１８を通して可動支持部１０の取付片１５ｂのねじ挿入孔１５ｃに挿入し、この挿入した先端部が上部ケース２の取付ボス１６のねじ孔１６ａに螺合するように構成されている。
【００２４】
これにより、弾性保持機構１７は、図３に示すように、連結調整ねじ１９を上部ケース２の取付ボス１６のねじ孔１６ａに螺合させて締め付けることにより、ばね部材１８がそのばね力によって可動支持部１０における取付部１５の取付片１５ｂを上部ケース２の取付ボス１６に弾力的に押し付けるように構成されている。
【００２５】
この場合、弾性保持機構１７は、図３に示すように、上部ケース２の取付ボス１６のねじ孔１６ａに対するねじ部材１８の締め付け力を調整することにより、可動支持部１０の取付片１５ｂを上部ケース２の取付ボス１６に押し付けるためのばね部材１８のばね力が調整されるように構成されている。
【００２６】
これにより、可動支持部１０は、図３および図５に示すように、上部ケース２の開口部２ａから露出した操作収納部１３が押し下げられると、取付部１５の取付片１５ｂが弾性保持機構１７のばね部材１８のばね力に抗して押し下げられ、これに伴って可動支持部１０全体が上部ケース２の内部（図３では下側）に向けて変位するように構成されている。
【００２７】
この場合、可動支持部１０は、図５に示すように、操作収納部１３がその中心部から偏って押し下げられた際に、その偏った方向（図５では左側）に位置する取付部１５の取付片１５ｂが弾性保持機構１７のばね部材１８のばね力に抗して押し下げられることにより、可動支持部１０全体が片側に傾くように、例えば図５において左下がりに傾くように変位する構成になっている。
【００２８】
一方、可動支持部１０内に配置される回転操作部１１は、図３および図４に示すように、可動支持部１０の操作収納部１３内に回転可能な状態で配置される円形状の操作部２０と、この操作部２０の下面における中心部に設けられた円筒状の装着ボス部２１とを備えている。円形状の操作部２０は、可動支持部１０の操作収納部１３の内径よりも少し小さい円板状に形成され、その外周部が操作収納部１３の内周面に接触することなく、操作収納部１３内に回転可能な状態で配置されるよう構成されている。
【００２９】
この操作部２０の上面には、図４に示すように、指先が挿入する小円形状の操作凹部２０ａが中心部からずれた位置に設けられている。また、この操作部２０の下面には、図３に示すように、操作収納部１３の底部１３ｂ上に接触して摺動する摺動突起部２０ｂが設けられている。この摺動突起部２０ｂは、操作収納部１３の貫通孔１３ｃよりも大きい円筒状に形成され、その下端部が円形状に形成されている。
【００３０】
これにより、回転操作部１１は、図３に示すように、操作部２０が上方から押された際に、摺動突起部２０ｂが可動支持部１０の操作収納部１３における底部１３ｂを押し下げることにより、弾性保持機構１７におけるばね部材１８のばね力に抗して可動支持部１０を押し下げるように構成されている。
【００３１】
この場合、回転操作部１１は、図５に示すように、操作部２０の中心部から偏った位置の操作凹部２０ａが操作されて回転操作部１１が回転する際に、回転操作部１１の偏った位置が押圧されながら回転すると、この偏った位置に対応する摺動突起部２０ｂが可動支持部１０の操作収納部１３における底部１３ｂを押し下げることにより、可動支持部１０を傾けるように変位させる構成になっている。
【００３２】
また、円筒状の装着ボス部２１は、図３に示すように、操作部２０の下面における中心部から垂下され、その下端部が可動支持部１０の操作収納部１３の底部１３ｂに設けられた貫通孔１３ｃを通して操作収納部１３の下側に突出するように構成されている。この装着ボス部２１は、操作収納部１３の底部１３ｂの貫通孔１３ｃよりも十分に小さい小径の円筒状に形成されており、その内部には、キー部２１ａが軸方向（図３では上下方向）に沿って設けられている。
【００３３】
一方、検出部１２は、図３に示すように、回転操作部１１の回転動作に伴う回転位置を検出するスイッチ部２２と、このスイッチ部２２が取り付けられる基板２３とを備え、この基板２３が可動支持部１０の搭載ボス部１４に取り付けられるように構成されている。スイッチ部２２は、ロータリースイッチであり、スイッチ本体２４と、このスイッチ本体２４に回転可能に取り付けられたスイッチ軸２５とを備えている。
【００３４】
スイッチ本体２４は、図３に示すように、スイッチ軸２５の回転動作に応じて回転位置を検出するものであり、基板２３上に取り付けられている。スイッチ軸２５は、スイッチ本体２４内から上方に突出し、この突出した上端部が回転操作部１１の装着ボス部２１内に挿入して装着され、これにより回転操作部１１を支持した状態で回転操作部１１と共に回転するように構成されている。
【００３５】
この場合、スイッチ軸２５は、図３に示すように、その外周面にキー溝２５ａが軸方向（図３では上下方向）に沿って設けられ、このキー溝２５ａに装着ボス部２１内に設けられたキー部２１ａが挿入することにより、装着ボス部２１と一体的に回転するように構成されている。また、基板２３は、可動支持部１０の搭載ボス部１４の下面にビス２３ａによって取り付けられている。
【００３６】
これにより、検出部１２は、図３に示すように、回転操作部１１の操作部２０が回転操作されると、その回転が装着ボス部２１を介してスイッチ軸２５に伝達されることにより、スイッチ軸２５が回転し、このスイッチ軸２５の回転に応じてスイッチ本体２４が回転操作部１１の回転動作に伴うスイッチ軸２５の回転位置を検出するように構成されている。
【００３７】
この場合、検出部１２は、図５に示すように、回転操作部１１の操作部２０の中心部から偏った位置の操作凹部２０ａが操作されて回転操作部１１が回転する際に、回転操作部１１の偏った位置が押圧されることにより、この回転操作部１１およびスイッチ軸２５が傾き、このスイッチ軸２５の傾きに伴ってスイッチ本体２４および基板２３が傾くように構成されている。
【００３８】
次に、このようなスイッチ装置８を楽器本体１に組み付ける場合について説明する。
この場合には、まず、検出部１２のスイッチ部２２を基板２３に取り付けて検出部１２を組み立て、この組み立てられた検出部１２を可動支持部１０に回転操作部１１と共に組み付ける。
【００３９】
このときには、検出部１２の基板２３を可動支持部１０の搭載ボス部１４の下に配置して、スイッチ部２２のスイッチ軸２５を可動支持部１０の操作収納部１３における底部１３ｂの貫通孔１３ｃに挿入させて操作収納部１３内に突出させる。この状態で、回転操作部１１を可動支持部１０の操作収納部１３内に上方から配置し、回転操作部１１の装着ボス部２１にスイッチ部２２のスイッチ軸２５を対応させて差し込む。
【００４０】
このときには、図３に示すように、スイッチ軸２５のキー溝部２５ａに装着ボス部２１内のキー部２１ａを相対的に挿入させて装着させる。すると、回転操作部１１の操作部２０が操作収納部１３内に配置されると共に、操作部２０の摺動突起部２０ｂの下端部が操作収納部１３の底部１３ｂ上に接触可能な状態になる。これにより、回転操作部１１と検出部１２のスイッチ部２２とが可動支持部１０を挟んだ状態で連結される。
【００４１】
この後、検出部１２の基板２３を可動支持部１０の搭載ボス部１４にビス２３ａによって取り付ける。すると、図３に示すように、検出部１２のスイッチ部２２が可動支持部１０に固定されると共に、このスイッチ部２２によって回転操作部１１も可動支持部１０に対して回転可能な状態で取り付けられる。
【００４２】
この状態では、回転操作部１１の操作部２０の下面に設けられた摺動突起部２０ｂの下端部が可動支持部１０の操作収納部１３内の底部１３ｂ上に摺動可能に接触する。また、回転操作部１１の操作部２０の上面が可動支持部１０の操作収納部１３の外周部１３ａの上端面とほぼ同一平面となる。このような状態で、操作部２０が操作収納部１３内に回転可能に配置される。
【００４３】
そして、回転操作部１１および検出部１２が取り付けられた可動支持部１０を楽器本体１の上部ケース２内における下面に取り付ける。このときには、可動支持部１０における操作収納部１３の外周部１３ａを上部ケース２の円形状の開口部２ａ内に挿入させ、この状態で可動支持部１０における取付部１５の取付片１５ｂを上部ケース２の下面に設けられた取付ボス１６の下面に配置する。このときには、上部ケース２の取付ボス１６のねじ孔１６ａに可動支持部１０の取付片１５ｂのねじ挿入孔１５ｃを対応させる。
【００４４】
この状態で、可動支持部１０の取付片１５ｂの下側に弾性保持機構１７のばね部材１８を配置し、このばね部材１８の下側から連結調整ねじ１９を上部ケース２の取付ボス１６に取り付ける。このときには、連結調整ねじ１９にワッシャー１９ａを配置し、この連結調整ねじ１９の先端側をばね部材１８および可動支持部１０の取付片１５ｂのねじ挿入孔１５ｃに挿入させ、この挿入した連結調整ねじ１９の先端部を上部ケース２の取付ボス１６のねじ孔１６ａに螺入させて、連結調整ねじ１９を締め付ける。
【００４５】
これにより、可動支持部１０が上部ケース２にばね部材のばね力によって弾力的に取り付けられる。このときには、可動支持部１０の操作収納部１３内に配置された回転操作部１１を回転操作する際に、この回転操作部１１、検出部１２、および可動支持部１０の全体が下側に変位可能な状態になるように、上部ケース２の取付ボス１６に対する連結調整ねじ１８の締付力を調整する。
【００４６】
次に、このような回転式のスイッチ装置８の作用について説明する。
このスイッチ装置８の回転操作部１１を操作する際には、回転操作部１１の操作部２０の上面に設けられた操作凹部２０ａに指先を挿入させて操作部２０を、その面方向に回転させる。すると、回転操作部１１の操作部２０の下面に設けられた摺動突起部２０ｂが可動支持部１０の操作収納部１３における底部１３ｂ上を摺動しながら回転操作部１１が操作収納部１３内で回転する。
【００４７】
これにより、図３に示すように、回転操作部１１の装着ボス部２１が操作部２０と共に回転し、この装着ボス部２１に装着されたスイッチ部２２のスイッチ軸２５が回転操作部１１の回転と同時に回転する。これにより、スイッチ部２２のスイッチ本体２４がスイッチ軸２５の回転動作に応じた回転位置を検出する。
【００４８】
この場合、操作部２０の操作凹部２０ａが操作部２０の中心部から偏った位置に設けられているため、この操作凹部２０ａに指先を挿入させて回転操作部１１を回転させる際に、操作部２０が指先によって傾くように押し下げられながら回転すると共に、回転操作部１１の装着ボス部２１も傾くように押し下げられながら回転する。
【００４９】
このときには、可動支持部１０の操作収納部１３の底部１３ｂ上を接触しながら摺動する摺動突起部２０ｂのうち、操作部２０の操作凹部２０ａに対応する箇所の摺動突起部２０ｂが可動支持部１０の操作収納部１３の底部１３ｂを弾性保持機構１７のばね部材１８のばね力に抗して押し下げる。
【００５０】
これにより、回転操作部１１の中心部から偏った箇所の操作凹部２０ａに近い取付部１５の取付片１５ｂが弾性保持機構１７のばね部材１８のばね力に抗して押し下げられる。このため、可動支持部１０全体が上部ケース２に対して傾いた状態で下側に変位する。このように、可動支持部１０が上部ケース２に対して傾いたときには、この可動支持部１０に対して取り付けられた回転操作部１１および検出部１２も可動支持部１０と共に一体に傾く。
【００５１】
このため、回転操作部１１の操作部２０は、その下面の摺動突起部２０ｂが可動支持部１０の操作収納部１３の底部１３ｂ上に接触した状態を維持すると共に、操作部２０の上面と操作収納部１３の底部１３ｂとが互いに平行な状態を維持する。また、回転操作部１１の装着ボス部２１とスイッチ部２２のスイッチ軸２５とは、その両方の軸中心が一致した状態を維持する。
【００５２】
これにより、可動支持部１０、回転操作部１１、および検出部１２が上部ケース２に対して傾いた状態においても、回転操作部１１が可動支持部１０の操作収納部１３内で円滑に回転すると共に、この回転操作部１１の回転に応じてスイッチ軸２５が円滑に回転するので、回転操作部１１の回転動作に応じてスイッチ部２２のスイッチ本体２４が回転操作部１１の回転位置を良好に検出する。
【００５３】
また、このときには、上部ケース２に対して可動支持部１０が回転操作部１１および検出部１２と共に傾くので、可動支持部１０と回転操作部１１との間の隙間が広くならず、常に一定の間隔を維持することができ、このため回転操作部１１を回転操作する際に、可動支持部１０と回転操作部１１との間の隙間に指先を挟んで怪我をする恐れがなく、安全に回転操作部１１を回転操作することができる。
【００５４】
このように、この回転式のスイッチ装置８によれば、楽器本体１の上部ケース２と、この上部ケース２の外部に露出した状態で上部ケース２に弾力的に変位可能に保持された可動支持部１０と、上部ケース２の外部に露出した状態で可動支持部１０に回転自在に配置された回転操作部１１と、上部ケース２の内部に位置した状態で可動支持部１０に設けられ、且つ回転操作部１１の回転操作に伴う回転位置を検出する検出部１２と、を備えているので、回転操作部１１の回転中心からずれた位置を押しながら回転操作部１１を回転させても、円滑に且つ良好に回転操作部１１を回転させて検出部１２を良好にスイッチ動作させることができる。
【００５５】
すなわち、この回転式のスイッチ装置８では、回転操作部１１の回転中心からずれた位置を押しながら回転操作部１１を回転させると、その回転操作時における押圧力によって、可動支持部１０を上部ケース２に対して回転操作部１１および検出部１２と共に傾けることができるので、可動支持部１０、回転操作部１１、および検出部１２の全てを常に一定の状態に保つことができる。このため、この回転式のスイッチ装置８では、回転操作部１１の回転中心からずれた位置を押しながら回転操作部１１を回転させても、円滑に且つ良好に回転操作部１１を回転させて検出部１２を良好にスイッチ動作させることができる。
【００５６】
この場合、上部ケース２に対して可動支持部１０が回転操作部１１および検出部１２と共に傾くので、可動支持部１０と回転操作部１１との間の隙間に指先を挟んで怪我をする恐れがなく、安全に回転操作部１１を回転操作することができる。また、回転操作部１１に外部から衝撃が加わった際に、その衝撃を可動支持部１０によって吸収することができるので、外部の衝撃から検出部１２を良好に保護することができる。
【００５７】
また、この回転式のスイッチ装置８は、回転操作部１１の回転操作時における押圧力に応じて可動支持部１０を弾力的に変位させる弾性保持機構１７を備えていることにより、回転操作部１１の回転中心からずれた位置を押しながら回転操作部１１を回転させる際に、回転操作部１１の回転操作時における偏った押圧力が回転操作部１１に加わると、その偏った押圧力に応じて弾性保持機構１７が可動支持部１０を上部ケース２に対して確実に且つ良好に傾けることができる。
【００５８】
すなわち、この弾性保持機構１７は、可動支持部１０を上部ケース２に弾力的に押し付けるばね部材１８と、上部ケース２に対して可動支持部１０を取り付けると共にこの可動支持部１０に対するばね部材１８のばね力を調整する連結調整ねじ１９と、を備えているので、回転操作部１１の回転操作時における偏った押圧力が回転操作部１１に加わると、その偏った押圧力に応じて弾性保持機構１７のばね部材１８が伸縮して可動支持部１０を上部ケース２に対して良好に傾けることができる。
【００５９】
また、この弾性保持機構１７では、連結調整ねじ１９によって可動支持部１０を上部ケース２に対して取り付ける際に、連結調整ねじ１９による締め付け力を調整することにより、ばね部材１８のばね力を調整することができるので、上部ケース２に対する可動支持部１０の押し付け力を調整することができ、これにより回転操作部１１に加わる押圧力に応じて上部ケース２に対する可動支持部１０の変位量を良好に調整することができる。
【００６０】
さらに、このスイッチ装置８では、回転操作部１１に摺動突起部２０ｂが設けられ、この摺動突起部２０ｂが可動支持部１０に接触して摺動するように構成されているので、この摺動突起部２０ｂによって回転操作部１１を可動支持部１０に対して円滑に且つ良好に回転させることができるほか、回転操作部１１の回転中心からずれた位置を押しながら回転操作部１１を回転させても、摺動突起部２０ｂによって円滑に且つ良好に回転操作部１１を回転させて検出部１２を良好にスイッチ動作させることができる。
【００６１】
この場合、摺動突起部２０ｂは、回転操作部１１の操作部２０の下面に設けられ、その下端部が可動支持部１０の操作収納部１３内の上面に接触した状態で、回転操作部１０の回転動作に応じて操作収納部１３内の上面上を摺動するように構成されているので、この摺動突起部２０ｂによって回転操作部１１の操作部２０の下面と可動支持部１０の操作収納部１３内の上面との間隔を常に一定に保つことができ、これにより回転操作部１１の回転中心からずれた位置を押しながら回転操作部１１を回転させても、円滑に且つ良好に回転操作部１１を回転させることができる。
【００６２】
なお、上述した実施形態では、回転操作部１１に摺動突起部２０ｂを設け、この摺動突起部２０ｂを可動支持部１０に接触させて摺動するように構成した場合について述べたが、これに限らず、例えば図６に示す変形例のように、可動支持部１０の操作収納部１３内の上面に摺動突起部３０を設け、この摺動突起部３０の上端部を回転操作部１１の操作部２０の下面に接触させて摺動するように構成しても良い。
【００６３】
このように構成しても、回転操作部１１の操作部２０の下面と可動支持部１０の操作収納部１３内の上面との間隔を常に一定に保つことができ、これにより回転操作部１１の回転中心からずれた位置を押しながら回転操作部１１を回転させても、円滑に且つ良好に回転操作部１１を回転させることができる。
【００６４】
また、上述した実施形態およびその変形例では、回転操作部１１の操作部２０と可動支持部１０の操作収納部１３との一方に摺動突起部２０ｂ、３０を設けた場合について述べたが、必ずしも摺動突起部２０ｂ、３０を設ける必要はない。このように摺動突起部２０ｂ、３０が設けられていない場合には、検出部１２のスイッチ部２２のスイッチ軸２５によって回転操作部１１を可動支持部１０の操作収納部１３内に回転可能な状態で保持するように構成すれば良い。
【００６５】
このように構成した場合には、回転操作部１１の中心部から偏った箇所の操作凹部２０ａを操作して回転操作部１１を回転させた際に、回転操作部１１の装着ボス部２１によって検出部１２のスイッチ部２２および基板２３が傾くように押し下げられ、この検出部１２の基板２３によって可動支持部１０が回転操作部１１の操作部２０と同じ方向に傾くように押し下げられるので、回転操作部１１の中心部から偏った箇所の操作凹部２０ａに近い取付部１５の取付片１５ｂを弾性保持機構１７のばね部材１８のばね力に抗して押し下げることができ、上述した実施形態と同様、可動支持部１０全体を上部ケース２に対して傾くように変位させることができる。
【００６６】
また、上述した実施形態およびその変形例では、弾性保持機構１７の各ばね部材１８がコイルばねなどの弾性付勢部材である場合について述べたが、必ずしもばね部材１８である必要はなく、例えばゴムやエラストマーなどの弾性材料からなる弾性部材を付勢部材として用いた構成であっても良い。
【００６７】
さらに、上述した実施形態およびその変形例では、電子鍵盤楽器に適用した場合について述べたが、必ずしも電子鍵盤楽器である必要はなく、例えば電気ギターなどの電子楽器にも適用することができるほか、必ずしも電子楽器に適用する必要はなく、回転位置を検出するスイッチ装置を備えた電子機器に広く適用することができる。
【００６８】
以上、この発明の一実施形態およびその各変形例について説明したが、この発明は、これらに限られるものではなく、特許請求の範囲に記載された発明とその均等の範囲を含むものである。
以下に、本願の特許請求の範囲に記載された発明を付記する。
【００６９】
（付記）
請求項１に記載の発明は、筐体と、この筐体の外部に露出した状態で前記筐体に弾力的に変位可能に保持された可動支持部と、前記筐体の外部に露出した状態で前記可動支持部に回転自在に配置された回転操作部と、前記筐体の内部に位置した状態で前記可動支持部に設けられ、且つ前記回転操作部の回転操作に伴う回転位置を検出する検出部と、を備えていることを特徴とするスイッチ装置である。
【００７０】
請求項２に記載の発明は、請求項１に記載のスイッチ装置において、前記回転操作部の回転操作時における押圧力に応じて前記可動支持部を弾力的に変位させる弾性保持機構を備えていることを特徴とするスイッチ装置である。
【００７１】
請求項３に記載の発明は、請求項２に記載のスイッチ装置において、前記弾性保持機構は、前記可動支持部を前記筐体に弾力的に押し付ける付勢部材と、前記筐体に対して前記可動支持部を取り付けると共にこの可動支持部に対する前記付勢部材の付勢力を調整する連結調整部材と、を備えていることを特徴とするスイッチ装置である。
【００７２】
請求項４に記載の発明は、請求項１〜請求項３のいずれかに記載のスイッチ装置において、前記可動支持部と前記回転操作部との一方には、その他方に接触した状態で摺動する摺動突起部が設けられていることを特徴とするスイッチ装置である。
【符号の説明】
【００７３】
１  楽器本体
２  上部ケース
２ａ  開口部
３  鍵盤シャーシ
４  鍵
８  スイッチ装置
１０  可動支持部
１１  回転操作部
１２  検出部
１３  操作収納部
１４  搭載ボス部
１５  取付部
１６  取付ボス
１７  弾性保持機構
１８  ばね部材
１９  連結調整ねじ
２０  操作部
２０ｂ、３０  摺動突起部
２１  装着ボス部
２２  スイッチ部
２３  基板
２４  スイッチ本体
２５  スイッチ軸
【図１】
2012243613.tif 000003
【図２】
2012243613.tif 000004
【図３】
2012243613.tif 000005
【図４】
2012243613.tif 000006
【図５】
2012243613.tif 000007
【図６】
2012243613.tif 000008